(57)【要約】【課題】画像の画質の劣化を抑えることにある。【解決手段】互いに異なる種類の液体を吐出するための複数のノズル列が次の（１）の条件を満たすように並び方向に並んだヘッドと、前記ヘッドに対して前記並び方向に相対移動して、前記ヘッドのノズル面をワイピングするワイパーと、を有することを特徴とする。（１）ノズル列の前記並び方向における並び順は、前記ノズル列から吐出される液体の比重の高い順となっている。【選択図】図６
2013184366.tif 000002
【特許請求の範囲】
【請求項１】
互いに異なる種類の液体を吐出するための複数のノズル列が次の（１）の条件を満たすように並び方向に並んだヘッドと、
前記ヘッドに対して前記並び方向に相対移動して、前記ヘッドのノズル面をワイピングするワイパーと、
を有することを特徴とする液体吐出装置。
（１）ノズル列の前記並び方向における並び順は、前記ノズル列から吐出される液体の比重の高い順となっている。
【請求項２】
互いに異なる種類の液体を吐出するための複数のノズル列が次の（１）の条件を満たすように並び方向に並んだヘッドと、前記ヘッドのノズル面をワイピングするワイパーと、を有する液体吐出装置を準備することと、
前記ワイパーが、前記ヘッドに対して前記並び方向に相対移動して、前記ノズル面をワイピングすることと、
を有することを特徴とするワイピング方法。
（１）ノズル列の前記並び方向における並び順は、前記ノズル列から吐出される液体の比重の高い順となっている。
【発明の詳細な説明】
【技術分野】
【０００１】
本発明は、液体吐出装置、及び、ワイピング方法に関する。
【背景技術】
【０００２】
互いに異なる種類の液体を吐出するための複数のノズル列が並び方向に並んだヘッドを有する液体吐出装置は、既によく知られている。かかる液体吐出装置としては、例えば、インクジェット式プリンターを挙げることができる。
【先行技術文献】
【特許文献】
【０００３】
【特許文献１】特開２００５−１１１８０８号公報
【発明の概要】
【発明が解決しようとする課題】
【０００４】
ところで、上記液体吐出装置においては、ヘッドのクリーニング処理として、ヘッドの吸引処理の後等に、ヘッドのノズル面をワイピングするワイピング処理が行われる。そして、当該ワイピング処理においては、ワイパーが、ヘッドに対して前記並び方向に相対移動して、ヘッドのノズル面をワイピングする。  
しかしながら、従来、当該ワイピング処理が行われた後にヘッドが液体を吐出して画像を記録した際に、当該画像の画質が劣化する場合があった。  
本発明は、かかる課題に鑑みてなされたものであり、その目的とするところは、画像の画質の劣化を抑えることにある。
【課題を解決するための手段】
【０００５】
主たる本発明は、互いに異なる種類の液体を吐出するための複数のノズル列が次の（１）の条件を満たすように並び方向に並んだヘッドと、
前記ヘッドに対して前記並び方向に相対移動して、前記ヘッドのノズル面をワイピングするワイパーと、
を有することを特徴とする液体吐出装置である。  
（１）ノズル列の前記並び方向における並び順は、前記ノズル列から吐出される液体の比重の高い順となっている。
【０００６】
本発明の他の特徴については、本明細書及び添付図面の記載により明らかにする。
【図面の簡単な説明】
【０００７】
【図１】画像記録装置１の構成を示す概略図である。
【図２】画像記録装置１の構成を示すブロック図である。
【図３】ヘッド３１におけるインク吐出ノズル列の配置を示した模式図である。
【図４】クリーニングユニット４３を示した模式図である。
【図５Ａ】クリーニング処理が実行される際のクリーニングユニット４３の第一状態を示した模式図である。
【図５Ｂ】クリーニング処理が実行される際のクリーニングユニット４３の第二状態を示した模式図である。
【図５Ｃ】クリーニング処理が実行される際のクリーニングユニット４３の第三状態を示した模式図である。
【図５Ｄ】クリーニング処理が実行される際のクリーニングユニット４３の第四状態を示した模式図である。
【図６】本実施の形態に係る画像記録装置１の有効性を説明するための説明模式図である。
【発明を実施するための形態】
【０００８】
本明細書及び添付図面の記載により、少なくとも次のことが明らかにされる。
【０００９】
互いに異なる種類の液体を吐出するための複数のノズル列が次の（１）の条件を満たすように並び方向に並んだヘッドと、
前記ヘッドに対して前記並び方向に相対移動して、前記ヘッドのノズル面をワイピングするワイパーと、
を有することを特徴とする液体吐出装置。  
（１）ノズル列の前記並び方向における並び順は、前記ノズル列から吐出される液体の比重の高い順となっている。  
かかる液体吐出装置によれば、画像の画質の劣化を抑えることが可能となる。
【００１０】
次に、互いに異なる種類の液体を吐出するための複数のノズル列が次の（１）の条件を満たすように並び方向に並んだヘッドと、前記ヘッドのノズル面をワイピングするワイパーと、を有する液体吐出装置を準備することと、
前記ワイパーが、前記ヘッドに対して前記並び方向に相対移動して、前記ノズル面をワイピングすることと、
を有することを特徴とするワイピング方法。  
（１）ノズル列の前記並び方向における並び順は、前記ノズル列から吐出される液体の比重の高い順となっている。  
かかるワイピング方法によれば、画像の画質の劣化を抑えることが可能となる。
【００１１】
＝＝＝画像記録装置１の構成例について＝＝＝
液体吐出装置の一例としての画像記録装置１（本実施の形態においては、インクジェット式プリンター、特に、ラテラルスキャン型のラベル印刷機）の構成例について、図１乃至図３を用いて説明する。図１は、画像記録装置１の概略断面図である。図２は、画像記録装置１のブロック図である。図３は、ヘッド３１におけるインク吐出ノズル列の配置を示した模式図である。
【００１２】
なお、以下の説明において、「上下方向」、「左右方向」をいう場合は、図１に矢印で示した方向を基準として示すものとする。また、「前後方向」をいう場合は、図１において紙面に直交する方向を示すものとする。  
また、本実施の形態においては、画像記録装置１が画像を記録する媒体の一例として、ロール状に巻かれた用紙（以下、ロール紙（連続紙）という）を用いて説明する。
【００１３】
本実施の形態に係る画像記録装置１は、図１及び図２に示すように、搬送ユニット２０、及び、該搬送ユニット２０がロール紙２を搬送する搬送経路（図１において、当該搬送経路は、ロール紙巻軸１８からロール紙巻き取り駆動軸９２までの間の、ロール紙２が位置する部分により表されている）に沿って、給送ユニット１０、プラテン２９、巻き取りユニット９０、を有し、さらに、搬送経路上の画像記録領域Ｒにおいて複数種類の液体の一例としてのインクを吐出して画像記録を行うヘッドユニット３０と、インク補給ユニット３５と、キャリッジユニット４０と、クリーニングユニット４３と、ヒーターユニット７０と、プラテン２９上のロール紙２に風を送る送風ユニット８０と、これらのユニット等を制御し画像記録装置１としての動作を司るコントローラー６０と、検出器群５０と、を有している。
【００１４】
給送ユニット１０は、ロール紙２を搬送ユニット２０に給送するものである。この給送ユニット１０は、ロール紙２が巻かれ回転可能に支持されるロール紙巻軸１８と、ロール紙巻軸１８から繰り出されたロール紙２を巻き掛けて搬送ユニット２０に導くための中継ローラー１９と、を有している。
【００１５】
搬送ユニット２０は、給送ユニット１０により送られたロール紙２を、予め設定された搬送経路に沿って搬送するものである。この搬送ユニット２０は、図１に示すように、中継ローラー１９に対して水平右方に位置する中継ローラー２１と、中継ローラー２１から見て右斜め下方に位置する中継ローラー２２と、中継ローラー２２から見て右斜め上方（プラテン２９から見て搬送方向上流側）に位置する第一搬送ローラー２３と、中継ローラー２２と第一搬送ローラー２３との間に位置するステアリングユニット（舵取りユニット）２０ａと、第一搬送ローラー２３から見て右方（プラテン２９から見て搬送方向下流側）に位置する第二搬送ローラー２４と、第二搬送ローラー２４から見て鉛直下方に位置する反転ローラー２５と、反転ローラー２５から見て右方に位置する中継ローラー２６と、中継ローラー２６から見て上方に位置する送り出しローラー２７と、を有している。
【００１６】
中継ローラー２１は、中継ローラー１９から送られたロール紙２を、左方から巻き掛けて下方に向かって弛ませるローラーである。  
中継ローラー２２は、中継ローラー２１から送られたロール紙２を、左方から巻き掛けて右斜め上方に向かって搬送するローラーである。
【００１７】
第一搬送ローラー２３は、不図示のモーターにより駆動される第一駆動ローラー２３ａと、該第一駆動ローラー２３ａに対してロール紙２を挟んで対向するように配置された第一従動ローラー２３ｂとを有している。この第一搬送ローラー２３は、下方に弛ませたロール紙２を上方に引き上げ、プラテン２９に対向する画像記録領域Ｒへ搬送するローラーである。第一搬送ローラー２３は、画像記録領域Ｒ上のロール紙２の部位に対して画像印刷がなされている期間、一時的に搬送を停止させるようになっている。なお、コントローラー６０の駆動制御により、第一駆動ローラー２３ａの回転駆動に伴って第一従動ローラー２３ｂが回転することによって、プラテン２９上に位置させるロール紙２の搬送量が調整される。
【００１８】
搬送ユニット２０は、上述したとおり、中継ローラー２１、２２と第一搬送ローラー２３との間に巻き掛けたロール紙２の部位を下方に弛ませて搬送する機構を有している。このロール紙２の弛みは、コントローラー６０により、不図示の弛み検出用センサーからの検出信号に基づき監視される。具体的には、中継ローラー２１、２２と第一搬送ローラー２３との間において弛ませたロール紙２の部位を、弛み検出用センサーが検出した場合には、該部位に適切な大きさの張力が与えられていることになるため、搬送ユニット２０はロール紙２を弛ませた状態で搬送することが可能となる。一方、弛み検出用センサーが弛ませたロール紙２の部位を検出しない場合は、該部位に過剰な大きさの張力が与えられていることになるため、搬送ユニット２０によるロール紙２の搬送が一時的に停止され、張力が適切な大きさに調整される。
【００１９】
ステアリングユニット２０ａは、図１に示すように、傾斜した状態で搬送経路上に位置し、回動することによりロール紙２の幅方向位置（幅方向（図１に示す前後方向）においてロール紙２が位置する位置）を変化させるためのものである。すなわち、ロール紙２が搬送経路に沿って搬送される際、中継ローラー等の軸ずれや組み付け誤差等によりロール紙２に作用する張力が変動すること等に起因して、ロール紙２の幅方向位置が変位する場合がある。そして、当該ステアリングユニット２０ａは、ロール紙２の当該幅方向位置を調整するためのものである。
【００２０】
第二搬送ローラー２４は、不図示のモーターにより駆動される第二駆動ローラー２４ａと、該第二駆動ローラー２４ａに対してロール紙２を挟んで対向するように配置された第二従動ローラー２４ｂとを有している。この第二搬送ローラー２４は、ヘッドユニット３０により画像が記録された後のロール紙２の部位を、プラテン２９の支持面に沿って水平右方向に搬送した後に鉛直下方に搬送するローラーである。これにより、ロール紙２の搬送方向が転換されることになる。なお、コントローラー６０の駆動制御により、第二駆動ローラー２４ａの回転駆動に伴って第二従動ローラー２４ｂが回転することによって、プラテン２９上に位置するロール紙２の部位に対して付与される所定の張力が調整される。
【００２１】
反転ローラー２５は、第二搬送ローラー２４から送られたロール紙２を、左側上方から巻き掛けて右斜め上方に向かって搬送するローラーである。  
中継ローラー２６は、反転ローラー２５から送られたロール紙２を、左側下方から巻き掛けて上方に向かって搬送するローラーである。  
送り出しローラー２７は、中継ローラー２６から送られたロール紙２を、左側下方から巻き掛けて巻き取りユニット９０に送り出すようになっている。
【００２２】
このように、ロール紙２が各ローラーを順次経由して移動することにより、ロール紙２を搬送するための搬送経路が形成されることになる。なお、ロール紙２は、搬送ユニット２０により、画像記録領域Ｒと対応した領域単位で間欠的にその搬送経路に沿って搬送される。
【００２３】
ヘッドユニット３０は、搬送経路上の画像記録領域Ｒに位置するロール紙２の部位に画像を記録するためのものである。すなわち、ヘッドユニット３０は、搬送ユニット２０により搬送経路上の画像記録領域Ｒに（プラテン２９上に）送り込まれたロール紙２の部位に、インク吐出ノズルからインクを吐出して画像を形成する。本実施の形態において、このヘッドユニット３０は、１５個のヘッド３１を有している。
【００２４】
各々のヘッド３１は、その下面（すなわち、ノズル面３２）に、列方向にインク吐出ノズルが並んだインク吐出ノズル列（ノズル列に相当）を有している。本実施の形態においては、図３に示すように、イエロー（Ｙ）、マゼンタ（Ｍ）、シアン（Ｃ）、ブラック（Ｋ）のインク種類（色）毎にそれぞれ複数のインク吐出ノズル♯１〜♯Ｎからなるインク吐出ノズル列を有している。各インク吐出ノズル列の各インク吐出ノズル♯１〜♯Ｎは、ロール紙２の搬送方向に交差する交差方向（つまり、当該交差方向が前述した列方向である）に直線状に配列されている。各インク吐出ノズル列は、当該搬送方向に沿って相互に間隔をあけて平行に配置されている。
【００２５】
このように、ヘッド３１においては、互いに異なる種類のインクを吐出するための複数のインク吐出ノズル列が並び方向（なお、並び方向とは、単方向を表すものであり、本実施の形態においては、前記搬送方向（つまり、図１において、左から右に向かう方向）が当該並び方向に相当する）に並んでいる。
【００２６】
なお、理由については後述するが、インク吐出ノズル列の前記搬送方向における並び順は、インク吐出ノズル列から吐出されるインクの比重の高い順となっている。すなわち、本実施の形態においては、イエローインクの比重ｙ、マゼンタインクの比重ｍ、シアンインクの比重ｃ、ブラックインクの比重ｋの大小関係は、ｙ＞ｋ＞ｃ＞ｍとなっており、したがって、図３に示すように、搬送方向において、イエローインク吐出ノズル列、ブラックインク吐出ノズル列、シアンインク吐出ノズル列、マゼンタインク吐出ノズル列の順に、インク吐出ノズル列が並んでいる。換言すれば、搬送方向において比重の高い順にインク吐出ノズル列が並ぶように、ヘッド３１の設計が成されている。
【００２７】
各インク吐出ノズル♯１〜♯Ｎには、インク滴を吐出するための駆動素子としてピエゾ素子（不図示）が設けられている。ピエゾ素子は、その両端に設けられた電極間に所定時間幅の電圧を印加すると、電圧の印加時間に応じて伸張し、インクの流路の側壁を変形させる。これによって、インクの流路の体積がピエゾ素子の伸縮に応じて収縮し、この収縮分に相当するインクが、インク滴となって各色の各インク吐出ノズル♯１〜♯Ｎから吐出される。
【００２８】
そして、かかるヘッド３１が、前記交差方向（前記列方向）において１５個並べられ、このことにより、ヘッドユニット３０が形成されている。そのため、ヘッドユニット３０は、色毎に１５×Ｎ個のインク吐出ノズルを有している。
【００２９】
インク補給ユニット３５は、ヘッド３１によるインクの吐出に起因してヘッドユニット３０内のインクの量が減った際に、ヘッドユニット３０にインクを補給するためのものである。
【００３０】
このインク補給ユニット３５は、インクの色毎に設けられている。すなわち、イエロー色のインクを補給するためのイエローインク補給ユニット、マゼンタ色のインクを補給するためのマゼンタインク補給ユニット、シアン色のインクを補給するためのシアンインク補給ユニット、ブラック色のインクを補給するためのブラックインク補給ユニットが設けられている。
【００３１】
インク補給ユニット３５は、インクカートリッジ、インクの流路（通り道）となる多数のチューブ、当該チューブを開閉するための多数のバルブ等から構成されている。なお、当該インクカートリッジが設置されている場所を、図１における符号３５で表している。
【００３２】
キャリッジユニット４０は、ヘッドユニット３０（ヘッド３１）を移動させるためのものである。このキャリッジユニット４０は、搬送方向（左右方向）に延びるキャリッジガイドレール４１と（図１に二点鎖線で示す）、キャリッジガイドレール４１に沿って搬送方向（左右方向）へ往復移動可能に支持されたキャリッジ４２と、不図示のモーターとを有する。
【００３３】
キャリッジ４２には、ヘッドユニット３０（ヘッド３１）が設けられている。そして、キャリッジ４２は、不図示のモーターの駆動により、ヘッドユニット３０（ヘッド３１）と一体となって搬送方向（左右方向）へ移動するよう構成されている。
【００３４】
クリーニングユニット４３は、ヘッド３１をクリーニングするためのものである。クリーニングとしては、ヘッド３１内のインクを吸引する吸引処理とヘッド３１のノズル面３２をワイピングする（拭く）ワイピング処理が、この順に行われ、クリーニングユニット４３には、吸引処理とワイピング処理の双方を実現するための部材が備えられている。なお、クリーニングユニット４３については、後に詳述する。
【００３５】
プラテン２９は、搬送経路上の画像記録領域Ｒに位置するロール紙２の部位を支持するとともに、該部位を加熱するものである。このプラテン２９は、図１に示すように、搬送経路上の画像記録領域Ｒに対応させて設けられ、かつ、第一搬送ローラー２３と第二搬送ローラー２４との間の搬送経路に沿った領域に配置されている。そして、プラテン２９は、ヒーターユニット７０が発生させた熱の供給を受けることにより、ロール紙２の該部位を加熱することができる。
【００３６】
ヒーターユニット７０は、ロール紙２を加熱するためのものであり、不図示のヒーターを有している。このヒーターは、ニクロム線を有しており、当該ニクロム線をプラテン２９内部に、プラテン２９の支持面から一定距離となるように配置させて構成されている。このため、ヒーターは、通電されることによってニクロム線自体が発熱し、プラテン２９の支持面上に位置するロール紙２の部位に熱を伝導させることができる。このヒーターは、プラテン２９の全域にニクロム線を内蔵させて構成されているため、プラテン２９上のロール紙２の部位に対して熱を均一に伝導することができる。本実施の形態において、プラテン上のロール紙２の部位の温度が４５℃となるように、該ロール紙２の部位を均一に加熱する。これにより、該ロール紙２の部位に着弾されたインクを乾燥させることができる。
【００３７】
送風ユニット８０は、プラテン２９上のロール紙２に風を送るためのものである。この送風ユニット８０は、ファン８１とファン８１を回転させるモーター（不図示）とを備えている。ファン８１は、回転することにより、プラテン２９上のロール紙２に風を送り、ロール紙２に着弾されたインクを乾燥させるためのものである。このファン８１は、図１に示すように、本体部に設けられた開閉可能なカバー（不図示）に複数設けられている。そして、この各々のファン８１は、カバーが閉じた際に、プラテン２９の上方に位置して、当該プラテン２９の支持面（当該プラテン２９上のロール紙２）と対向するようになっている。
【００３８】
巻き取りユニット９０は、搬送ユニット２０により送られたロール紙２（画像記録済みのロール紙）を巻き取るためのものである。この巻き取りユニット９０は、送り出しローラー２７から送られたロール紙２を、左側上方から巻き掛けて右斜め下方へ搬送するための中継ローラー９１と、回転可能に支持され中継ローラー９１から送られたロール紙２を巻き取るロール紙巻き取り駆動軸９２と、を有している。
【００３９】
コントローラー６０は、画像記録装置１の制御を行うための制御ユニットである。このコントローラー６０は、図２に示すように、インターフェース部６１と、ＣＰＵ６２と、メモリー６３と、ユニット制御回路６４と、を有している。インターフェース部６１は、外部装置であるホストコンピューター１１０と画像記録装置１との間でデータの送受信を行うためのものである。ＣＰＵ６２は、画像記録装置１全体の制御を行うための演算処理装置である。メモリー６３は、ＣＰＵ６２のプログラムを格納する領域や作業領域等を確保するためのものである。ＣＰＵ６２は、メモリー６３に格納されているプログラムに従ったユニット制御回路６４により各ユニットを制御する。
【００４０】
検出器群５０は、画像記録装置１内の状況を監視するものであり、例えば、前述の弛み検出用センサー、搬送ローラーに取り付けられてロール紙２の搬送などの制御に利用されるロータリー式エンコーダー、搬送されるロール紙２の有無を検出する用紙検出センサー、キャリッジ４２（又はヘッド３１）の搬送方向（左右方向）の位置を検出するためのリニア式エンコーダー、ロール紙２の幅方向における紙端（エッジ）位置を検出する紙端位置検出センサーなどがある。
【００４１】
＝＝＝クリーニングユニット４３について＝＝＝
次に、クリーニングユニット４３について、説明する。以下では、先ず、クリーニングユニット４３の構成例について説明し、これに引き続いて、クリーニングユニット４３の動作例について説明する。
【００４２】
＜＜＜クリーニングユニット４３の構成例について＞＞＞
先ず、クリーニングユニット４３の構成例について、図４を用いて説明する。図４は、クリーニングユニット４３を示した模式図である。
【００４３】
クリーニングユニット４３は、前述したとおり、ヘッド３１をクリーニングするためのものである。このクリーニングユニット４３は、図４に示すように、キャップ部材２００と、ワイパー２１０と、を有している。
【００４４】
キャップ部材２００は、図４に示すように、有底箱形状を備えており、鉛直方向（上下方向）に移動することが可能となっている（移動させる機構については、後述する）。キャップ部材２００は、吸引処理が実行される際に、上方向へ移動して、ヘッド３１のノズル面３２に密着することにより該ノズル面３２をキャップする。なお、キャップ部材２００は、前記複数のインク吐出ノズル列の全て（本実施の形態においては、イエローインク吐出ノズル列、マゼンタインク吐出ノズル列、シアンインク吐出ノズル列、ブラックインク吐出ノズル列）を一括してキャップする。すなわち、キャップ部材２００は、複数のインク吐出ノズル列の全てを囲んだ状態でノズル面３２に密着する。
【００４５】
キャップ部材２００には、不図示の吸引ポンプが接続されている。そして、キャップ部材２００がノズル面３２に密着した状態でコントローラー６０の制御により吸引ポンプが作動すると、ヘッド３１内のインクが、増粘したインクや紙粉と共に吸引され、目詰まりしたインク吐出ノズルが不吐出状態から回復するようになっている。換言すれば、コントローラー６０は、キャップ部材２００が前記複数のインク吐出ノズル列をキャップした状態でヘッド３１内のインクを吸引して当該複数のインク吐出ノズル列を通過させることにより、目詰まりしたインク吐出ノズルを不吐出状態から回復させる。
【００４６】
ワイパー２１０は、ヘッド３１のノズル面３２をワイピングする（拭く）ためのものである。このワイパー２１０は、弾性片からなる部材であり、本実施の形態においては、図４に示すように、キャップ部材２００よりも搬送方向において上流側（左側）に位置している。
【００４７】
また、ワイパー２１０は、鉛直方向に移動することが可能となっている（移動させる機構については、後述する）。そして、ワイピング処理が実行される際には、ワイパー２１０は、鉛直方向における所定位置（ワイパー２１０がノズル面３２に接触可能な位置。以下、便宜上、ワイピング位置と呼ぶ）に位置する。そして、かかる状態で、ワイパー２１０がヘッド３１に対して前記搬送方向に相対移動すると（本実施の形態においては、ヘッド３１の方がキャリッジ４２の移動に伴って搬送方向とは逆方向に移動する）、ワイパー２１０がノズル面３２に撓み変形を伴って押し当てられた状態でワイパー２１０がノズル面３２に摺擦し（図５Ｃ参照）、ノズル面３２がワイパー２１０によりワイピングされることとなる。
【００４８】
なお、本実施の形態においては、ワイピング処理が実行される際に、ヘッド３１は、必ず単方向、すなわち、前記搬送方向とは逆方向（図４において、右から左に向かう方向）に、移動し、ヘッド３１が前記搬送方向に移動してワイピング処理が実行されることはない。換言すれば、ワイピング処理が実行される際に、ワイパー２１０はヘッド３１に対して必ず搬送方向に相対移動する。
【００４９】
また、上記において、キャップ部材２００とワイパー２１０が鉛直方向に移動可能となっていることを述べたが、キャップ部材２００及びワイパー２１０は一体的に移動するようになっている。そして、かかる移動を実現するために、クリーニングユニット４３には、図４に示すように、収容ケース２２０と昇降装置２２２とが設けられている。
【００５０】
収容ケース２２０は、キャップ部材２００及びワイパー２１０を収容し、かつ、支持するためのものである。この収容ケース２２０は、上方に開口部を有し、有底箱形状を備えている。  
そして、当該収容ケース２２０が、シリンダ等からなる昇降装置２２２の駆動により、鉛直方向に昇降され、このことにより、キャップ部材２００及びワイパー２１０の鉛直方向における一体的な移動が実現されるようになっている。
【００５１】
本実施の形態においては、収容ケース２２０（キャップ部材２００及びワイパー２１０）は、２つの異なる鉛直方向位置に位置するようになっている。第一の位置は、ワイパー２１０がノズル面３２に接触可能な前述したワイピング位置である（例えば、図５Ｂ参照）。また、第二の位置は、キャップ部材２００がノズル面３２に密着して吸引処理が実行可能な位置（以下、便宜上、キャップ位置と呼ぶ）である（例えば、図５Ａ参照）。図４に示されているようにワイパー２１０の最上部がキャップ部材２００の最上部よりも上方に位置するため、このキャップ位置はワイピング位置よりも高い位置となっている。なお、具体的にどのタイミングで、収容ケース２２０が昇降されるかについては、後述する。
【００５２】
＜＜＜クリーニングユニット４３の動作例について＞＞＞
次に、クリーニング処理が実行される際のクリーニングユニット４３の動作例について、図５Ａ乃至図５Ｄを用いて説明する。図５Ａ乃至図５Ｄは、クリーニング処理が実行される際のクリーニングユニット４３の状態を示した模式図である。なお、当該動作は、主として、コントローラー６０により実現される。特に、本実施の形態においては、メモリー６３に格納されたプログラムをＣＰＵ６２が処理することにより実現される。そして、このプログラムは、以下に説明される各種の動作を行うためのコードから構成されている。
【００５３】
コントローラー６０は、先ず、キャリッジ４２を制御して、ヘッド３１がキャップ部材２００に対向する位置にキャリッジ４２を位置させると共に、昇降装置２２２を制御して収容ケース２２０（キャップ部材２００）を前記キャップ位置に位置させる。このことにより、キャップ部材２００がノズル面３２に密着して吸引処理が実行可能な状態となる（図５Ａ）。コントローラー６０は、かかる状態で、吸引ポンプを作動させ、インクを吸引する吸引処理を実行する。
【００５４】
吸引処理が終了すると、コントローラー６０は、昇降装置２２２を制御して収容ケース２２０をキャップ位置から前記ワイピング位置に下ろす（図５Ａの黒太矢印参照）。このことにより、ワイパー２１０がヘッド３１に接触可能な位置に下げられて、ワイピング処理が実行可能な状態となる（図５Ｂ）。
【００５５】
コントローラー６０が、かかる状態で、キャリッジ４２を制御して、キャリッジ４２を前記搬送方向と逆方向へ（右から左へ）移動させる（図５Ｂの黒太矢印参照）と、ワイパー２１０は、やがてヘッド３１のノズル面３２に接触する（図５Ｃ参照）。そして、キャリッジ４２のさらなる移動により（図５Ｃの黒太矢印参照）、ワイパー２１０がノズル面３２に摺擦して当該ノズル面３２をワイピングする。ワイパー２１０がヘッド３１から離れる位置までキャリッジ４２が移動すると（図５Ｄ）、ワイピング動作は終了する。
【００５６】
＝＝＝本実施の形態に係る画像記録装置１の有効性について＝＝＝
上述したとおり、本実施の形態に係る画像記録装置１は、互いに異なる種類のインクを吐出するための複数のインク吐出ノズル列が次の（１）の条件を満たすように並び方向（搬送方向）に並んだヘッド３１と、当該ヘッド３１に対して並び方向（搬送方向）に相対移動して、ヘッド３１のノズル面３２をワイピングするワイパー２１０と、を有している。（１）インク吐出ノズル列の並び方向（搬送方向）における並び順は、インク吐出ノズル列から吐出されるインクの比重の高い順となっている。
【００５７】
すなわち、図６に示すように、当該画像記録装置１を設計するにあたっては、第一に、インク吐出ノズル列をインク比重の高い順に並べた。そして、第二に、ワイピング処理が実行される際のワイパー２１０の相対移動方向を、（双方向ではなく）単方向とし、当該相対移動方向におけるインク吐出ノズル列の並び順がインク比重の（低い順ではなく）高い順になるようにした。そして、こうすることにより、以下に説明する混色現象に起因した問題点の発生を抑制することが可能となり、画像の画質の劣化を抑えることが可能となる。
【００５８】
比較例に係る画像記録装置１においては、画像に、本来記録されるべき色とは異なる色で記録された部分が存在する場合があった。そして、このような問題は、ワイピング処理が実行された後に画像が記録された際に、よく発生する傾向があった。
【００５９】
このことを踏まえて、本発明者等は、鋭意検討を行った結果、ワイピング処理時にインクがヘッド３１内で混じり合う現象（便宜上、混色現象と呼ぶ）が発生し、混じり合ったインクが吐出されることにより前記問題が発生することを見出した。
【００６０】
具体的に説明すると、ワイピング処理において、ワイパー２１０が、ヘッド３１に対して相対移動すると、ワイパー２１０は、インク吐出ノズル（第一インク吐出ノズルとする）に付着しているインク（第一インクとする）を拭き取るが、拭き取られた当該第一インクは、ワイパー２１０に付着した状態でワイパー２１０のさらなる相対移動に伴って相対移動する。そして、ワイパー２１０が第一インク吐出ノズルよりも下流側のインク吐出ノズル（第二インク吐出ノズルとする）に到達すると、ワイパー２１０に付着した第一インクも第二インク吐出ノズルに到達する（換言すれば、第一インクがワイパー２１０により第二インク吐出ノズルに運ばれる）。
【００６１】
そして、このときに、第一インクの比重が第二インクの比重よりも小さい場合には、第二インクよりも比重が小さくてより流動的である第一インクが、第二インク吐出ノズルに付着している第二インクを押しのけて第二インク吐出ノズルを（外から中へ）通過することにより、ヘッド３１内に流入してしまう現象が顕著に発生し得ることを見出した（一方で、第一インクの比重が第二インクの比重よりも大きい場合には、第一インクの流動性の欠如により、このような現象は殆ど発生しない）。そして、ヘッド３１内で混じり合ったインクが、ワイピング処理が実行された後の画像記録動作において吐出されて、本来記録されるべき色とは異なる色で記録された前述した部分が生じてしまうことを見出した。
【００６２】
そこで、本発明者等は、前記第一インクの比重を前記第二インクの比重よりも大きくすることを考えた。そして、このことを実現するために、図６に示したように、インク吐出ノズル列をインク比重の高い順に並べて、ワイピング処理が実行される際のワイパー２１０の相対移動方向を単方向とし、当該相対移動方向におけるインク吐出ノズル列の並び順がインク比重の高い順になるようにした。
【００６３】
図６を参照しつつ具体的に説明すると、前述したとおり、本実施の形態においては、イエローインクの比重ｙ、マゼンタインクの比重ｍ、シアンインクの比重ｃ、ブラックインクの比重ｋの大小関係は、ｙ＞ｋ＞ｃ＞ｍとなっているので、前記搬送方向において、イエローインク吐出ノズル列、ブラックインク吐出ノズル列、シアンインク吐出ノズル列、マゼンタインク吐出ノズル列の順に、インク吐出ノズル列が並んでいる。そして、ワイピング処理が実行される際のワイパー２１０の相対移動方向を単方向である前記搬送方向としたため、当該相対移動方向におけるインク吐出ノズル列の並び順がインク比重の高い順となっている。
【００６４】
そして、かかる場合には、イエローインクが、ワイパー２１０によってブラックインク吐出ノズル列、シアンインク吐出ノズル列、マゼンタインク吐出ノズル列にそれぞれ運ばれるが、イエローインクの比重ｙは、マゼンタインクの比重ｍ、シアンインクの比重ｃ、ブラックインクの比重ｋのどれよりも大きいので、前記混色現象は殆ど発生しない。また、ブラックインクが、ワイパー２１０によってシアンインク吐出ノズル列、マゼンタインク吐出ノズル列にそれぞれ運ばれるが、ブラックインクの比重ｋは、マゼンタインクの比重ｍ、シアンインクの比重ｃのどれよりも大きいので、前記混色現象は殆ど発生しない。また、シアンインクがワイパー２１０によってマゼンタインク吐出ノズル列に運ばれるが、シアンインクの比重ｃはマゼンタインクの比重ｍよりも大きいので、前記混色現象は殆ど発生しない。
【００６５】
そして、本実施の形態においては、このように混色現象が殆ど発生しないため、混色現象に起因した前記問題点（画像に、本来記録されるべき色とは異なる色で記録された部分が存在する問題）の発生を抑制することが可能となり、画像の画質の劣化を抑えることが可能となる。
【００６６】
＝＝＝その他の実施の形態＝＝＝
上記の実施の形態は、主として液体吐出装置について記載されているが、ワイピング方法等の開示も含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００６７】
上記実施の形態においては、液体吐出装置（液体噴射装置）をインクジェット式プリンターに具体化したが、インク以外の他の液体を噴射したり吐出したりする液体噴射装置を採用してもよく、微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうち何れか一種の噴射装置に本発明を適用することができる。
【００６８】
また、上記実施の形態においては、媒体としてロール紙２を例に挙げて説明したが、これに限定されるものではなく、例えば、カット紙、フィルム、布であってもよい。
【００６９】
また、上記実施の形態においては、ヘッドユニット３０が複数（１５個）のヘッド３１を有していることとしたが、これに限定されるものではない。例えば、ヘッドユニット３０が、一つのヘッド３１からなることとしてもよい。
【符号の説明】
【００７０】
１  画像記録装置、２  ロール紙
１０  給送ユニット、１８  ロール紙巻軸、１９  中継ローラー
２０  搬送ユニット、２０ａ  ステアリングユニット
２１  中継ローラー、２２  中継ローラー
２３  第一搬送ローラー、２３ａ  第一駆動ローラー、２３ｂ  第一従動ローラー
２４  第二搬送ローラー、２４ａ  第二駆動ローラー、２４ｂ  第二従動ローラー
２５  反転ローラー、２６  中継ローラー、２７  送り出しローラー
２９  プラテン
３０  ヘッドユニット、３１  ヘッド、３２  ノズル面
３５  インク補給ユニット
４０  キャリッジユニット、４１  ガイドレール、４２  キャリッジ
４３  クリーニングユニット
５０  検出器群
６０  コントローラー、６１  インターフェース部、６２  ＣＰＵ
６３  メモリー、６４  ユニット制御回路
７０  ヒーターユニット、８０  送風ユニット、８１  ファン
９０  巻き取りユニット、９１  中継ローラー、９２  ロール紙巻き取り駆動軸
１１０  ホストコンピューター
２００  キャップ部材、２１０  ワイパー
２２０  収容ケース、２２２  昇降装置
【図１】
2013184366.tif 000003
【図２】
2013184366.tif 000004
【図３】
2013184366.tif 000005
【図４】
2013184366.tif 000006
【図５Ａ】
2013184366.tif 000007
【図５Ｂ】
2013184366.tif 000008
【図５Ｃ】
2013184366.tif 000009
【図５Ｄ】
2013184366.tif 000010
【図６】
2013184366.tif 000011